(57)【要約】【課題】ローラーが回転進行して鎮圧接地から離れる際に圃場地面の持ち上げ、掘り返しを抑える農耕用鎮圧ローラーを提供する。【解決手段】ローラー本体の円周外表面に対向する軟質円筒カバー体の内周面に、先端をローラー本体の円周外表面に当接する突起部を一体形成し、突起部を有する軟質円筒カバー体が回転により鎮圧接地面から離れる際に突起部の弾発変形により原形復元して地面を押圧するようにした。軟質円筒カバー体の内周面に一体形成する突起部に代えて、ローラー本体とゴム軟質円筒カバー体間の中空間隙に弾力性中間円筒体をサンドイッチ状に挟んだ重合体に形成してもよい。【選択図】図９
2007209216.tif 000002
【特許請求の範囲】
【請求項１】
ローラー本体の円周外表面に、ゴム等の軟質円筒カバー体を所定の中空間隙を介して外嵌した鎮圧ローラーにおいて、ローラー本体の円周外表面に対向する前記軟質円筒カバー体の内周面に、先端をローラー本体の円周外表面に当接する突起部を一体形成し、突起部を有する軟質円筒カバー体が回転により鎮圧接地面から離れる際に突起部の弾発変形により原形復元して地面を押圧するようにしたことを特徴とする農耕用鎮圧ローラー
【請求項２】
軟質円筒カバー体の突起部が、複数の局部的半球状突起、内周横方向の突条、内周縦方向の突条又は内周斜め方向の突条であることを特徴とする請求項１記載の農耕用鎮圧ローラー
【請求項３】
ローラー本体の円周外表面とゴム等の軟質円筒カバー体を所定の中空間隙を介して外嵌した鎮圧ローラーの中空間隙に発泡スポンジその他の弾力性中間円筒体をサンドイッチ状に挟んだ重合体に形成し、回転により鎮圧接地面から離れる際に弾力性中間円筒体の弾発力により、軟質円筒カバー体が原形復元して地面を押圧するようにしたことを特徴とする農耕用鎮圧ローラー
【発明の詳細な説明】
【技術分野】
【０００１】
本発明は、トラクタ等に牽引される鎮圧機に取付けて回転しながら圃場を鎮圧する農耕用鎮圧ローラーに関し、詳細には、ローラーが圃場地面を回転進行しながら鎮圧接地から離れる際に圃場地面を押圧する構造の農耕用鎮圧ローラーに関する。
【背景技術】
【０００２】
農場などの膨軟な地面を固結する鎮圧機は、図１に示すようにトラクタ等に牽引される作業機２の枠体７に複数の鎮圧ローラー組立体３を回転進行可能に取付け、播種後の土の鎮圧や小麦発芽後の鎮圧などに使用される。
従来のこの種の鎮圧ローラー１は、図２０、図２１に示すように、鉄やコンクリートなどの硬い円筒又は円柱からなるローラー本体１ａの外側を、ゴムなどの柔軟な素材からなる円筒ゴムカバー体１ｂで円形の中空間隙部１０を介在させて被覆した構造のものが多用されている。この構造の鎮圧ローラーは接地の際にローラー本体１ａと円筒ゴムカバー体１ｂ間の中空間隙部１０が圧縮されて潰れ、回転進行に伴って接地から離れるときに中空間隙部１０が復元するときの変形作用を利用して接地面の土が円筒ゴムカバー体に付着しないようにする試みがなされている。
【発明の開示】
【発明が解決しようとする課題】
【０００３】
ところが、従来のような上記構造の鎮圧ローラー１は、内側の硬質のローラー本体１ａと外側の円筒ゴムカバー体１ｂの径寸法が異なるため回転進行するにつれて円筒ゴムカバー体１ｂの回転に遅れが生ずる。
他方、ローラー本体１ａと円筒ゴムカバー体１ｂは図２２に示すように、回転方向に対してはフリーではなく固定されているため、回転が遅れた外側の円筒ゴムカバー体１ｂは中心側（内側）のローラー本体１ａに固定された部分に引張られるようにして前進側がたるむ。こうなると円筒ゴムカバー体１ｂは接地から離れる際に中空間隙部１０をもった元の状態に戻ろうとする変形の余地がなくなるため、表面に土が付着して地面から剥ぎ取られ、土の付着防止効果が著しく低下してしまう。
【０００４】
鎮圧ローラーは上記のように、膨軟な地面を固結させる目的で使用されるものであるが、農耕用に使用される場合は圃場の地面が土木用と違って固結の固さがそれほど固くないことに加えて、播種後の鎮圧や小麦の発芽後の鎮圧（いわゆる麦踏み作用）などに使用されるため、ローラー表面への付着は、土の付着そのものよりも接地から離れる瞬間に接地面を蹴り上げ、土を剥ぎ取ってしまうという現象が問題となる。
すなわち、ローラーが接地から離れる瞬間に土を持ち上げて剥ぎ取ってしまうと播種した種が掘り返されたり、麦の根が土とともに破断してしまうという弊害が生ずる。
【０００５】
本発明はこのような問題を解決することを意図してなされたもので、その目的とするところは、ローラーが鎮圧接地から離れる際に外側の円筒ゴムカバー体の変形復元力を確保して圃場地面の剥ぎ取りや掘り返しを効果的に防止することができる農耕用鎮圧ローラーを提供することにある。
【課題を解決するための手段】
【０００６】
上記目的を達成するために、本発明の農耕用鎮圧ローラーは、ローラー本体の円周外表面に、ゴム等の軟質円筒カバー体を所定の中空間隙を介して外嵌した鎮圧ローラーにおいて、ローラー本体の円周外表面に対向する前記軟質円筒カバー体の内周面に、先端をローラー本体の円周外表面に当接する突起部を一体形成し、突起部を有する軟質円筒カバー体が回転により鎮圧接地面から離れる際に突起部の弾発変形により原形復元して地面を押圧するようにしたことを特徴とする。
【０００７】
軟質円筒カバー体の内周面突起部は、複数の局部的半球状突起、内周横方向の突条、内周縦方向の突条又は内周斜め方向の突条、その他、内周面を凹凸に形成し、凸部先端がローラー本体に弾発的に当接する構造のものであればよい。
【０００８】
また、本発明の上記目的は、ローラー本体の円周外表面とゴム等の軟質円筒カバー体を所定の中空間隙を介して外嵌した鎮圧ローラーの中空間隙に発泡スポンジその他の弾力性中間円筒体をサンドイッチ状に挟んだ重合体に形成し、回転により鎮圧接地面から離れる際に弾力性中間円筒体の弾発力により、軟質円筒カバー体が原形復元して地面を押圧するようにしたことを特徴とする農耕用鎮圧ローラーによって達成することもできる。
【発明の効果】
【０００９】
上記の構造により、本発明の鎮圧ローラーは鎮圧接地面が回転進行により地面から離れる瞬間に円筒ゴムカバー体の突起部が圧縮から解放されて弾発力により中空間隙を保持した元の形状に戻るように変形する。このため、円筒ゴムカバー体は表面の接地面が地表を押さえながらローラー本体よりも遅れて離れるので、鎮圧接地から離れる際に土を持ち上げたり、掘り返したりすることがない。従って、播種後の鎮圧、小麦発芽後の鎮圧が安定し、また、ローラーに土が付着する弊害も防止される。
【発明を実施するための最良の形態】
【００１０】
以下、本発明の実施例を添付の図面に基づいて説明する。
図１は、本発明の鎮圧ローラー１を使用した鎮圧機２の一例を示す全体図であり、図２は、鎮圧機２に取付けられる鎮圧ローラー組立体３の拡大図である。
鎮圧ローラー組立体３は鎮圧機２への連結部材４を有する支持枠体５に鎮圧ローラー１を回転可能に枢着してなり、鎮圧機２は、図１に示すように、トラクタなどの牽引車（図は省略）へのヒッチ６を有する共通の枠体７にこれら複数の鎮圧ローラー組立体３を連結した構成になっている。
【００１１】
図３は、本発明の一実施例による鎮圧ローラー１を示すもので、この鎮圧ローラー１は、鉄あるいはコンクリートなどの硬い材質の円筒部材からなるローラー本体１ａ（図４参照）の円周外表面９に、ゴム、合成ゴムなどの比較的軟らかい材質の円筒カバー体１ｂ（図５参照）を嵌合した構成になっている。
【００１２】
軟質円筒カバー体（ここでは円筒ゴムカバー体）１ｂは図５及び図６に示すように、円筒内周面に複数の突起部８を一体に形成してあり、ローラー本体１ａの円周外表面９にこの円筒カバー体１ｂを外嵌したときに、図７及び図８に示すように、突起部８の先端がローラー本体１ａの円周外表面９に当接するとともに、突起部８以外の凹面とローラー本体１ａの円周外表面９の間に中空間隙１０が形成されるようにして重合されている。
【００１３】
図３乃至図８の実施例は、円筒カバー体１ｂの突起部８を半球その他の円形凸部に形成し、複数の円形凸部からなる複数の突起部８が円筒カバー体１ｂの内周面に、好ましくは、平均密度で一様に配設してある。
【００１４】
鎮圧ローラー１は、ローラー本体１ａの左右両側辺を内側に傾斜させた係合面１１に形成するとともに、円筒カバー体１ｂの左右両側縁辺を内側湾曲部１２に形成し、この湾曲部１２をローラー本体１ａの傾斜係合面１１に嵌め合わせて一体に係着させてある。
【００１５】
上記鎮圧ローラー１は、図９に示すように、鎮圧ローラー１の中空内部に組付けたフレーム１４に支軸１５と軸受１６を介して前記支持枠５に回転可能に支持され、図２に示す鎮圧ローラー組立体３として組付けられる。
【００１６】
次に、上記のように組付けられた本発明の鎮圧ローラー１の作用を図１０により説明する。
鎮圧ローラー１が矢印方向へ転動すると、内側のローラー本体１ａと外側の円筒カバー体１ｂの径の違いで円筒カバー体１ｂは回転速度の遅れでローラー本体１ａの回転に引張られはするが内周面の突起部８よって円筒カバー体１ｂの絞りが規制されるため、前進側にたるみが生じない。
他方、鎮圧接地の後方では、鎮圧ローラー１が鎮圧接地から離れる際に円筒カバー体１ｂの突起部８が張力的な復元力により変形して円筒カバー体１ｂを元の中空状態に戻そうとする力が働く。このためローラー本体１ａが鎮圧接地から離れる際は円筒カバー体１ｂは圧縮されていた突起部８が完全に復元するまで地面を押圧し続け、回転が進むにつれて円筒カバー体１ｂは次第に地面から離れる。
このため、鎮圧ローラー１が接地面から離れる際の跳ね上げが円筒カバー体１ｂの突起部８の弾力復帰により緩衝されるので地面の持ち上げや撹拌が抑制されるとともに、結果としてローラーへの土の付着も予防されることになる。
【００１７】
図１１乃至図１３は本発明の他の実施例を示すもので、この実施例は、円筒カバー体１ｂの突起部８として円筒カバー体１ｂの内周面に横方の突条８ａを形成し、内周面全面をこの横方向の突条８ａによる凹凸面に形成したもので、この構成でも図１３に示すように、図１０と同様の作用が働く。
【００１８】
図１４乃至図１６は本発明のさらに他の実施例を示すもので、この実施例は、円筒カバー体１ｂの突起部８として内周面に円周方向の複数の突条８ｂを形成し、内周面全面をこの縦方向の突条８ｂによる凹凸面に形成したもので、この構成でも図１６に示すように、図１０と実質的に同様の作用が得られる。
【００１９】
なお、図は省略したが、円筒カバー体１ｂの内周面に形成する突起部８は図の実施例に限らず、円筒カバー体１ｂの内面横方向へ傾斜して直線又は湾曲状に延びるスパイラル突条、その他、鎮圧接地の圧縮から離反時に変形して原形に復元されるものであればよい。
【００２０】
図１７乃至図１９は本発明の課題を解決する別の態様を示すもので、この実施例は、前記ローラー本体１ａと軟質円筒カバー体１ｂ間の円形中空間隙にスポンジ、ゴムなどの弾力的復元力を有する材質からなる弾性円筒体１３をサンドイッチ状に挟んで三重に重ね合わせた構成になっている。
【００２１】
この実施例の鎮圧ローラー１は、弾性円筒体１３はローラー本体１ａの円周外表面に接しているが、ローラー本体１ａとは独立の部材である。
従って、図１９に示すように、ローラー本体１ａの回転進行時の遅れにより引張られるが鎮圧ローラー１の接地前方では弾性円筒体１３の介在によりたるみが生ずることがなく、また鎮圧接地から離れる際は弾性円筒体１３の材質の復元力によりローラー本体１ａから独立して外側に膨出しようとする力が働き、鎮圧ローラー１の表面層である円筒カバー体１ｂを外側に押圧する。このため、図１０と同様に、鎮圧ローラー１が鎮圧接地から離れる瞬間の土の蹴り上げ、掘り起こしなどの現象が抑制される。
【産業上の利用可能性】
【００２２】
鎮圧ローラーが回転進行により鎮圧接地面から離れ、円筒カバー体がローラー本体の圧接から解放される際に突起部又は別体の弾性円筒体の復元力により地面を押圧するので地面を安定した状態に鎮圧される。従って、特に農耕用鎮圧ローラーの作業効率改善に貢献する。
【図面の簡単な説明】
【００２３】
【図１】農耕用鎮圧機の全体図
【図２】鎮圧機に取付けられる鎮圧ローラー組立体
【図３】本発明の実施例による鎮圧ローラーの斜視図
【図４】図３実施例のローラー本体の斜視図
【図５】図３実施例の円筒カバー体の斜視図
【図６】図５の円筒カバー体の軸方向断面図
【図７】図３実施例の軸方向断面図
【図８】図３実施例の径方向断面図
【図９】図３実施例の鎮圧ローラーを使用した鎮圧ローラー組立体の軸方向断面図
【図１０】図３実施例による鎮圧ローラーの作用説明図
【図１１】本発明の他の実施例による鎮圧ローラーの円筒カバー体斜視図
【図１２】図１１実施例の円筒カバー体を使用した鎮圧ローラーの径方向断面図
【図１３】図１２実施例による鎮圧ローラーの作用説明図
【図１４】本発明の他の実施例による鎮圧ローラーの円筒カバー体斜視図
【図１５】図１４実施例の円筒カバー体を使用した鎮圧ローラーの軸方向断面図
【図１６】図１５実施例による鎮圧ローラーの作用説明図
【図１７】本発明の他の実施例による鎮圧ローラーの径方向断面図
【図１８】図１７実施例の鎮圧ローラーの軸方向断面図
【図１９】図１７実施例による鎮圧ローラーの作用説明図
【図２０】従来の鎮圧ローラーの径方向断面図
【図２１】従来の鎮圧ローラーの軸方向断面図
【図２２】図２０の鎮圧ローラーの作用説明図
【符号の説明】
【００２４】
１…鎮圧ローラー
１ａ…ローラー本体
１ｂ…円筒カバー体
２…鎮圧機
３…鎮圧ローラー組立体
４…連結部材
５…支持枠体
６…ヒッチ
７…枠体
８…突起部
８ａ、８ｂ…突条
９…円周外表面
１０…中空間隙
１１…係合面
１２…湾曲部
１３…弾性円筒体
１４…フレーム
１５…支軸
１６…軸受
【図１】
2007209216.tif 000003
【図２】
2007209216.tif 000004
【図３】
2007209216.tif 000005
【図４】
2007209216.tif 000006
【図５】
2007209216.tif 000007
【図６】
2007209216.tif 000008
【図７】
2007209216.tif 000009
【図８】
2007209216.tif 000010
【図９】
2007209216.tif 000011
【図１０】
2007209216.tif 000012
【図１１】
2007209216.tif 000013
【図１２】
2007209216.tif 000014
【図１３】
2007209216.tif 000015
【図１４】
2007209216.tif 000016
【図１５】
2007209216.tif 000017
【図１６】
2007209216.tif 000018
【図１７】
2007209216.tif 000019
【図１８】
2007209216.tif 000020
【図１９】
2007209216.tif 000021
【図２０】
2007209216.tif 000022
【図２１】
2007209216.tif 000023
【図２２】
2007209216.tif 000024